(57)【要約】  弦楽器のための調弦用糸巻きであって、弦支持領域を形成する第１領域と、前記調弦用糸巻きを前記弦楽器に固定するための取付け領域を形成する少なくとも１つの付加的な領域とを備えたシャンクであって、前記第１領域が前記少なくとも１つの付加的な領域に対して回転可能であるシャンクと、前記第１領域に回転不能に接続される第１歯車と、前記少なくとも１つの付加的な領域に回転不能に接続される少なくとも１つの付加的な歯車と、回転軸の周りで回転可能なように前記シャンク上に配置される頭部と、前記頭部に配置され、且つ前記第１歯車及び前記少なくとも１つの付加的な歯車に作用する少なくとも１つの駆動歯車と、を含む調弦用糸巻きが提案される。
2011503640.tif 000002
【特許請求の範囲】
【請求項１】
弦楽器（１０）のための調弦用糸巻きであって、
弦支持領域（５６；１５０；１８６）を形成する第１領域（６４；１４２；１７６）と、該調弦用糸巻きを前記弦楽器（１０）に固定するための取付け領域（５２；５４）を形成する少なくとも１つの付加的な領域（６６；６８；１４４；１７８）とを備えたシャンク（５０；１４０；１７４）であって、前記第１領域（６４；１４２；１７６）が前記少なくとも１つの付加的な領域（６６；６８；１４４；１７８）に対して回転可能であるシャンクと、
前記第１領域（６４；１４２；１７６）に回転不能に接続される第１歯車（９２；１６０；１８８）と、
前記少なくとも１つの付加的な領域（６６；６８；１４４；１７８）に回転不能に接続される少なくとも１つの付加的な歯車（９４；９６；１６２；１９０）と、
回転軸（９８）の周りで回転可能なように前記シャンク（５０；１４０；１７４）上に配置される頭部（５８）と、
前記頭部（５８）に配置され、且つ前記第１歯車（９２；１６０；１８８）及び前記少なくとも１つの付加的な歯車（９４；９６；１６２；１９０）に作用する少なくとも１つの駆動歯車（１２６；１２８；１６８；１７０；１９２；１９４）と、
を含む調弦用糸巻き。
【請求項２】
請求項１に記載の調弦用糸巻きであって、前記少なくとも１つの駆動歯車（１２６；１２８；１６８；１７０；１９２；１９４）が、前記頭部（５８）の内部空間（１０４）に少なくとも部分的に配置されることを特徴とする調弦用糸巻き。
【請求項３】
請求項１又は２に記載の調弦用糸巻きであって、前記少なくとも１つの駆動歯車（１２６；１２８；１６８；１７０；１９２；１９４）が、前記頭部（５８）の前記回転軸（９８）に対して偏位するように配置されることを特徴とする調弦用糸巻き。
【請求項４】
先行する請求項のいずれか１項に記載の調弦用糸巻きであって、前記少なくとも１つの駆動歯車（１２６；１２８；１６８；１７０；１８８；１９０）が、駆動歯車の回転軸（１３０；１３２）の周りで回転可能であることを特徴とする調弦用糸巻き。
【請求項５】
請求項４に記載の調弦用糸巻きであって、前記少なくとも１つの駆動歯車の回転軸（１３０；１３２）が、前記シャンク（５０；１４０；１７４）上にある前記頭部（５８）の前記回転軸（９８）と平行に配向されることを特徴とする調弦用糸巻き。
【請求項６】
先行する請求項のいずれか１項に記載の調弦用糸巻きであって、前記少なくとも１つの駆動歯車が、ピニオン（１２６；１２８；１６８；１７０；１８８；１９０）である、又はピニオン（１２６；１２８；１６８；１７０；１８８；１９０）を含むことを特徴とする調弦用糸巻き。
【請求項７】
先行する請求項のいずれか１項に記載の調弦用糸巻きであって、前記第１歯車（９２；１６０；１８８）が、前記頭部（５８）の内部空間（１０４）に位置決めされることを特徴とする調弦用糸巻き。
【請求項８】
先行する請求項のいずれか１項に記載の調弦用糸巻きであって、前記少なくとも１つの付加的な歯車（９４；９６；１６２；１９０）が、前記頭部（５８）の内部空間（１０４）に位置決めされることを特徴とする調弦用糸巻き。
【請求項９】
先行する請求項のいずれか１項に記載の調弦用糸巻きであって、歯車伝動装置（１０６）が、前記第１歯車（９２）と、前記少なくとも１つの付加的な歯車（９４；９６；１６２；１９０）と、前記少なくとも１つの駆動歯車（１２６；１２８；１６８；１７０；１８８；１９０）とを含むと共に、前記歯車伝動装置が前記頭部（５８）の内部空間（１０４）に位置決めされることを特徴とする調弦用糸巻き。
【請求項１０】
先行する請求項のいずれか１項に記載の調弦用糸巻きであって、前記第１領域（６４；１４２；１７６）及び前記少なくとも１つの付加的な領域（６６；６８；１４４；１７８）が互いに、前記シャンク（５０；１４０；１７４）上で、前記頭部（５８）の前記回転軸（９８）と平行な長手方向に続くことを特徴とする調弦用糸巻き。
【請求項１１】
先行する請求項のいずれか１項に記載の調弦用糸巻きであって、第２領域（６６）及び第３領域（６８）がそれぞれ取付け領域（５２；５４）を形成し、前記第２領域に第２歯車（９４）が回転不能に接続され、前記第３領域（６８）に第３歯車（９６）が回転不能に接続されることを特徴とする調弦用糸巻き。
【請求項１２】
請求項１１に記載の調弦用糸巻きであって、前記第１領域（６４）が、前記第２領域（６６）と前記第３領域（６８）との間に設置されることを特徴とする調弦用糸巻き。
【請求項１３】
請求項１１又は１２に記載の調弦用糸巻きであって、前記第２領域（６６）、前記第１領域（６４）、及び前記第３領域（６８）が互いに、前記シャンク（５０）上で、前記頭部（５８）の前記回転軸（９８）と平行な長手方向に続くことを特徴とする調弦用糸巻き。
【請求項１４】
先行する請求項のいずれか１項に記載の調弦用糸巻きであって、前記第１領域（６４；１４２）がシャフト（８８；１５６）に接続され、前記シャフト上に前記第１歯車（９２；１６０）が配置されることを特徴とする調弦用糸巻き。
【請求項１５】
請求項１４に記載の調弦用糸巻きであって、前記シャフト（８８；１５６）が、付加的な領域（６８；１４４）を通って案内されることを特徴とする調弦用糸巻き。
【請求項１６】
請求項１５に記載の調弦用糸巻きであって、前記シャフト（８８；１５６）が、前記付加的な領域（６８；１４４）上に回転可能に取付けられることを特徴とする調弦用糸巻き。
【請求項１７】
先行する請求項のいずれか１項に記載の調弦用糸巻きであって、前記少なくとも１つの付加的な歯車（９４；９６；１６２；１８８）が、前記第１歯車（９２；１６０；１８８）に対して同軸に配置されることを特徴とする調弦用糸巻き。
【請求項１８】
請求項１１〜１７のいずれか１項に記載の調弦用糸巻きであって、前記第２歯車（９４）が、前記第１領域（６４）及び前記第３領域（６８）を通って案内されるピン要素（７４）上に配置されることを特徴とする調弦用糸巻き。
【請求項１９】
請求項１８に記載の調弦用糸巻きであって、前記ピン要素（７４）が、前記第１領域（６４）上に回転可能に取付けられることを特徴とする調弦用糸巻き。
【請求項２０】
請求項１８又は１９に記載の調弦用糸巻きであって、前記ピン要素（７４）がシャフト（８８）上に回転可能に取付けられ、前記シャフト上に前記第１歯車（９２）が配置されることを特徴とする調弦用糸巻き。
【請求項２１】
請求項１１〜２０のいずれか１項に記載の調弦用糸巻きであって、前記第３歯車（９６）が、前記第１歯車（９２）に対して同軸に配置されることを特徴とする調弦用糸巻き。
【請求項２２】
請求項２１に記載の調弦用糸巻きであって、前記少なくとも１つの駆動歯車（１２６；１２８）が、前記第３歯車（９６）に作用することを特徴とする調弦用糸巻き。
【請求項２３】
請求項１１〜２２のいずれか１項に記載の調弦用糸巻きであって、前記第３歯車（９６）が、前記頭部（５８）の内部空間（１０４）に配置されることを特徴とする調弦用糸巻き。
【請求項２４】
請求項１１〜２３のいずれか１項に記載の調弦用糸巻きであって、前記第２領域（６６）に回転不能に接続される前記第２歯車（９４）と、前記第３領域（６８）に回転不能に接続される前記第３歯車（９６）との間に、前記第１歯車（９２）が配置されることを特徴とする調弦用糸巻き。
【請求項２５】
先行する請求項のいずれか１項に記載の調弦用糸巻きであって、前記第１歯車（９２；１６０；１８８）と前記少なくとも１つの付加的な歯車（９４；９６；１６２；１９０）とが、異なる歯数（ｎ１；ｎ２、ｎ３）を有し、及び／又は、前記少なくとも１つの駆動歯車が、前記第１歯車と、歯数の異なる前記少なくとも１つの付加的な歯車とに作用することを特徴とする調弦用糸巻き。
【請求項２６】
先行する請求項のいずれか１項に記載の調弦用糸巻きであって、前記第１歯車（９２；１６０；１８８）が、前記少なくとも１つの付加的な歯車（９４；９６；１６２；１９０）よりも多い歯数（ｎ１）を有することを特徴とする調弦用糸巻き。
【請求項２７】
請求項１１〜２６のいずれか１項に記載の調弦用糸巻きであって、前記第２領域（６６）に回転不能に接続される前記第２歯車（９４）と、前記第３領域（６８）に回転不能に接続される前記第３歯車（９６）とが、同じ歯数（ｎ２、ｎ３）を有することを特徴とする調弦用糸巻き。
【請求項２８】
請求項２７に記載の調弦用糸巻きであって、前記第１歯車（９２）が、前記第２歯車（９４）及び／又は前記第３歯車（９６）と比較して、異なる歯数（ｎ１）を有することを特徴とする調弦用糸巻き。
【請求項２９】
先行する請求項のいずれか１項に記載の調弦用糸巻きであって、
前記第１歯車（９２；１６０；１８８）の歯数（ｎ１）、及び／又は前記第１歯車に作用する前記少なくとも１つの駆動歯車の歯数が、前記少なくとも１つの付加的な歯車（９４；９６；１６２；１９０）の歯数（ｎ２；ｎ３）、及び／又は前記少なくとも１つの付加的な歯車に作用する前記少なくとも１つの駆動歯車の歯数と、ｍ＋ｉだけ相違し、ここに、
ｍは自然数であり、
ｉは、前記第１歯車（９２；１６０；１８８）及び前記少なくとも１つの付加的な歯車（９４；９６；１６２；１９０）に作用し且つ前記回転軸（９８）に対して直交方向に離間される駆動歯車（１２６；１２８；１６８；１７０；１９２；１９４）の数であること
を特徴とする調弦用糸巻き。
【請求項３０】
先行する請求項のいずれか１項に記載の調弦用糸巻きであって、前記少なくとも１つの駆動歯車（１２６；１２８；１６８；１７０；１９２；１９４）が、第１歯車（９２；１６０；１８８）と少なくとも１つの付加的な歯車（９４；９６；１６２；１９０）とから成る組み合わせの全体の高さと少なくとも同程度の高さを有することを特徴とする調弦用糸巻き。
【請求項３１】
先行する請求項のいずれか１項に記載の調弦用糸巻きであって、複数の駆動歯車（１２６、１２８；１６８；１７０；１９２；１９４）が、前記頭部（５８）の前記回転軸（９８）に対して前記頭部（５８）において均一に分配されるように配置されるを特徴とする調弦用糸巻き。
【請求項３２】
先行する請求項のいずれか１項に記載の調弦用糸巻きであって、前記少なくとも１つの付加的な領域（６６；１７８）上に、前記調弦用糸巻きの、前記頭部（５８）から離れる方を向く端部（６０；１８０）が形成されることを特徴とする調弦用糸巻き。
【請求項３３】
請求項３２に記載の調弦用糸巻きであって、前記少なくとも１つの付加的な領域（６６）が、適切な長さに切断されることに適合された領域（７２）を有することを特徴とする調弦用糸巻き。
【請求項３４】
請求項１〜３１のいずれか１項に記載の調弦用糸巻きであって、前記調弦用糸巻きの、前記頭部（５８）から離れる方を向く端部（１４６）が、前記第１領域（１４２）上に形成されることを特徴とする調弦用糸巻き。
【請求項３５】
先行する請求項のいずれか１項に記載の調弦用糸巻きであって、前記第１領域（６４；１４２；１７６）を、前記第１歯車（９２；１６０；１８８）を介して前記少なくとも１つの駆動歯車（１２６；１２８；１６８；１７０、１８８；１９０）によって回転させるための歯車伝動装置（１０６）が、戻り止め式となるように設計されることを特徴とする調弦用糸巻き。
【請求項３６】
先行する請求項のいずれか１項に記載の調弦用糸巻きであって、前記頭部（５８）が回転する結果として、前記少なくとも１つの駆動歯車（１２６；１２８；１６８；１７０；１８８；１９０）が、前記シャンク（５０）上にある前記頭部（５８）の前記回転軸（９８）の周りで軌道運動することを特徴とする調弦用糸巻き。
【請求項３７】
先行する請求項のいずれか１項に記載の調弦用糸巻きであって、前記頭部（５８）が回転する結果として、前記少なくとも１つの駆動歯車（１２６；１２８；１６８；１７０；１８８；１９０）が、前記第１歯車（９２；１６０；１８８）上で転動することを特徴とする調弦用糸巻き。
【請求項３８】
先行する請求項のいずれか１項に記載の調弦用糸巻きであって、前記頭部（５８）が、少なくとも１つの摘み面（１０２）を有することを特徴とする調弦用糸巻き。
【発明の詳細な説明】
【技術分野】
【０００１】
本発明は、弦楽器のための調弦用糸巻きに関する。
【背景技術】
【０００２】
弦楽器の弦は、糸巻きを介して糸蔵上で保持される。
【０００３】
調弦用糸巻きとは、弦の調弦を可能にする糸巻きである。
【０００４】
糸巻きは、US 1,802,937、US 1,669,824、US 1,604,367、DE 38 28 548 A1、US 1,506,373、US 5,998,713、又はEP 1 453 034 A2から知られている。
【先行技術文献】
【特許文献】
【０００５】
【特許文献１】US 1,802,937
【特許文献２】US 1,669,824
【特許文献３】US 1,604,367
【特許文献４】DE 38 28 548 A1
【特許文献５】US 1,506,373
【特許文献６】US 5,998,713
【特許文献７】EP 1 453 034 A2
【特許文献８】US 4,026,182 A
【特許文献９】US 5,767,427
【特許文献１０】US 3,726,172
【特許文献１１】WO 2007/093371 A2
【発明の概要】
【発明が解決しようとする課題】
【０００６】
本発明の基礎を成す目的は、弦楽器への最小限の効果で弦楽器に固定でき、単純な調弦を可能にする調弦用糸巻きを提供することである。
【課題を解決するための手段】
【０００７】
この目的は、本発明によれば冒頭で特定されている前記調弦用糸巻きに関して、弦支持領域を形成する第１領域と、前記調弦用糸巻きを前記弦楽器に固定するための取付け領域を形成する少なくとも１つの付加的な領域とを有するシャンクであって、前記第１領域が前記少なくとも１つの付加的な領域に対して回転可能であるシャンクが設けられ、前記第１領域に回転不能に接続される第１歯車が設けられ、前記少なくとも１つの付加的な領域に回転不能に接続される少なくとも１つの付加的な歯車が設けられ、回転軸の周りで回転可能なように前記シャンク上に配置される頭部が設けられ、前記頭部に配置され、且つ前記第１歯車及び前記少なくとも１つの付加的な歯車に作用する少なくとも１つの駆動歯車が設けられる、という点で達成される。
【０００８】
本発明による解決法では、前記第１歯車と、前記少なくとも１つの付加的な歯車と、前記少なくとも１つの駆動歯車とを含む歯車伝動装置が設けられる。前記頭部が回転運動する結果として、前記少なくとも１つの駆動歯車が、前記第１歯車及び前記少なくとも１つの付加的な歯車上で転動することができ、これによって、前記第１領域が、前記少なくとも１つの付加的な領域に対して回転することができる。前記歯車伝動装置が前記頭部内に配置されている結果として、前記調弦用糸巻きはコンパクトな設計とすることができる。
【０００９】
前記第１歯車、及び前記少なくとも１つの付加的な歯車又は前記少なくとも１つの駆動歯車の歯数が異なる結果として、前記弦を調弦できるようにする伝達率を設定することができる。
【００１０】
更に、前記歯車伝動装置は戻り止め式となるように、単純なやり方で設計することができる。結果として、弦の張力の理由で前記第１領域に及ぼされるトルクを前記伝動装置により吸収することができ、前記第１領域は逆戻りすることが防止される。他方で、このことにより調弦能力が最適化され、操作性が単純なものになる。
【００１１】
前記戻り止め式の設計は、例えば前記第１歯車及び前記付加的な歯車のピッチ円がほぼ同一寸法に設計され、これらの歯車に及ぼされるトルクが反対方向になるという点で達成することができる。
【００１２】
少なくとも２つの歯車が使用される結果として、高い伝達率を設定することができる。例えば、７：１以上の伝達率を単純なやり方で達成し、調弦を実施できるようにすることができる。
【００１３】
更に、前記歯車伝動装置は付加的な領域としての第２領域及び第３領域が、互いに対して回転可能でないように設計することができる。結果として、前記調弦用糸巻きを取付ける結果としての糸巻きトルクとして前記弦楽器に及ぼされるトルクが小さく保たれる。他方で、結果として、接着要素及び／又は形状ロック要素等の付加的な接続の補助を設ける必要なしに、前記調弦用糸巻きを前記弦楽器に圧入によって固定することが可能である。
【００１４】
前記少なくとも１つの駆動歯車が、前記頭部の内部空間に少なくとも部分的に配置されると特に有利である。このことにより、構成がコンパクトになる。結果として、前記第１領域を回転させるための前記歯車伝動装置の機構が、外部に対して保護されることにもなる。
【００１５】
前記少なくとも１つの駆動歯車は、好ましくは前記シャンク上にある前記頭部の前記回転軸に対して偏位するように配置される。前記少なくとも１つの駆動歯車がこのように偏心配置される結果として、前記頭部が回転する際、前記少なくとも１つの駆動歯車を、前記回転軸の周りの軌道経路上で運動させることができる。結果として、この駆動歯車は、前記第１歯車上、及び前記少なくとも１つの付加的な歯車上で転動し、これらの歯車を回転させることができる。他方で、これによって前記第１領域及び前記付加的な領域が互いに対して回転する。
【００１６】
前記少なくとも１つの駆動歯車は、前記第１歯車上、及び前記少なくとも１つの付加的な歯車上で転動できるようにするために、特に駆動歯車の回転軸の周りで回転可能にされる。
【００１７】
前記少なくとも１つの駆動歯車の回転軸が、前記シャンク上にある前記頭部の前記回転軸と平行に配向されると好ましい。このことにより、構成設計が単純になり、前記頭部の大きさを最小にすることができる。
【００１８】
１実施形態において、前記少なくとも１つの駆動歯車は、ピニオンであるか、又はピニオンを含む。このようなピニオンは特に、前記第１歯車及び前記少なくとも１つの付加的な歯車よりも小さい外径及びピッチ円の直径を有する。このことにより、構成がコンパクトになり、前記頭部の大きさを小さく保つことができる。原則として、前記少なくとも１つの駆動歯車を幾つかの歯車の組み合わせとして設計することも可能である。特に、歯車を分割して設けてもよい。
【００１９】
更に、前記第１歯車が前記頭部の内部空間に位置決めされると好ましい。このことにより、構成がコンパクトになり、製造性が単純になる。
【００２０】
前記少なくとも１つの付加的な歯車が、前記頭部の内部空間に位置決めされると同じく好ましい。このことにより、構成がコンパクトになる。
【００２１】
前記第１歯車と、前記少なくとも１つの付加的な歯車と、前記少なくとも１つの駆動歯車とを含む歯車伝動装置が、前記頭部の内部空間に位置決めされると特に好ましい。結果として、前記シャンクは単純なやり方で設計することができ、特に、前記シャンクの直径を小さく保つことができるので、楽器への適合が単純なやり方で可能となる。
【００２２】
前記第１領域及び前記少なくとも１つの付加的な領域は互いに、前記シャンク上で、特に、前記頭部の前記回転軸と平行な長手方向に続く。このことにより、大きさが最適化される。
【００２３】
原則として、調弦用糸巻きが、１つのみの取付け領域と１つの弦支持領域を有することが可能である。このような調弦用糸巻きは、例えば、ギター等の撥弦楽器上で、又はツィター上でも使用することができる。１実施形態において、第２領域及び第３領域が設けられ、これらの領域がそれぞれ取付け領域を形成し、前記第２領域に第２歯車が回転不能に接続され、前記第３領域に第３歯車が回転不能に接続される。結果として、前記第１領域の、前記第２領域に対する相対回転性だけでなく前記第３領域に対する相対回転性をももたらすことができ、前記第２領域及び前記第３領域は互いに対して回転しない。結果として、前記第２領域及び前記第３領域を介してこのような調弦用糸巻きが固定された楽器に作用するトルクは最小にすることができる。
【００２４】
その際、前記第１領域は特に、前記第２領域と前記第３領域との間に設置される。即ち、前記弦支持領域は、離間している２つの取付け領域間に設置される。結果として、前記調弦用糸巻きは、大きな取付け面にわたって楽器の糸蔵に固定することができる。
【００２５】
前記第２領域、前記第１領域、及び前記第３領域が互いに、前記シャンク上で、前記頭部の前記回転軸と平行な長手方向に続くと好ましい。結果として、前記第１領域は弦支持領域として、取付け領域間に配置することができる。
【００２６】
好ましくは、前記第１領域はシャフトに接続されており、前記シャフト上に前記第１歯車が配置される。結果として、前記第１歯車は、前記第１領域に対して離間した関係にして位置決めすることができ、特に、前記頭部の内部空間に位置決めすることができる。
【００２７】
前記第１歯車と前記第１領域との間の接続を可能にするために、前記シャフトは、前記第３領域を通って案内される。
【００２８】
前記シャフトが、付加的な領域上に回転可能に取付けられると好ましい。結果として、前記第１領域の、前記付加的な領域に対する前記回転性のための回転軸受が利用可能となる。
【００２９】
好ましくは、前記少なくとも１つの付加的な歯車は、前記第１歯車に対して同軸に配置される。
【００３０】
更に、第２歯車を保護しコンパクトな設計及び単純な製造性を可能にするために、前記第２歯車が前記頭部の内部空間に配置されると好ましい。
【００３１】
前記第２歯車が、前記第１領域及び前記第３領域を通って案内されるピン要素上に配置されることを実現することができる。結果として、前記第２歯車を、前記第２領域に対して離間した関係において、前記頭部上、特に前記頭部内に位置決めすることができる。他方で、結果として、前記第１歯車及び前記第２歯車を前記頭部上に互いのごく近傍で位置決めすることが可能であるので、前記少なくとも１つのピニオンは、前記第１歯車及び前記第２歯車に同時に作用することができる。
【００３２】
この点に関して、前記第１領域と前記第２領域との間の相対回転性を単純なやり方で可能にするために、前記第１ピン要素が前記第１領域上に回転可能に取付けられることを実現することができる。
【００３３】
同じ理由で、前記ピン要素がシャフト上に回転可能に取付けられ、前記シャフト上に前記第１歯車が配置されると好ましい。
【００３４】
前記第３領域が前記第３歯車に回転不能に接続されると特に有利である。結果として、前記第２領域と前記第３領域とに対する前記第１領域の相対回転性を、単純なやり方で可能とすることができ、ここで前記第２領域と前記第３領域は、互いに対して回転しない。
【００３５】
前記第１領域の回転性を可能にするために、前記第３歯車は特に、前記第１歯車に対して同軸に配置される。
【００３６】
更に、前記第３領域に対する前記第１領域の回転性を可能にするために、前記少なくとも１つのピニオンが前記第３歯車に作用すると好ましい。
【００３７】
更に、前記第３歯車が前記頭部の内部空間に配置されると好ましい。結果として、前記第３歯車は、前記少なくとも１つの駆動歯車の作動領域に位置決めすることができ、これによって、保護されたやり方で位置決めすることができる。このことにより、構成がコンパクトになり、製造性が単純になる。
【００３８】
前記第２領域に回転不能に接続される前記第２歯車と、前記第３領域に回転不能に接続される前記第３歯車との間に前記第１歯車が配置されると好ましい。このことにより、構成が単純かつコンパクトになる。例えば、前記第３歯車は、前記第３領域と一体に形成することができる。
【００３９】
前記第１歯車と前記少なくとも１つの付加的な歯車とが、異なる歯数を有し、及び／又は、前記少なくとも１つの駆動歯車が、前記第１歯車と、歯数の異なる前記第２歯車とに作用すると特に有利である。結果として、前記第１領域を、前記第２領域に対して前記シャンク上での前記頭部の回転と比較して小さい角度の間隔とびで旋回させる伝達比率を達成することができる。結果として、調弦が可能である。前記調弦のための伝達比率は、前記第１歯車と前記少なくとも１つの付加的な歯車との間で「相対歯数」が異なる結果として達成することができる。このように「相対歯数」が異なることは、前記第１歯車及び前記第２歯車が、異なる歯数を有するという点で実現することができる。更に、前記少なくとも１つの駆動歯車が、前記第１歯車と、歯数の異なる前記少なくとも１つの付加的な歯車とに作用するという点でこの差異を実現することが可能である。このように、前記少なくとも１つの駆動歯車上で歯数が異なることは、例えば、駆動歯車が、前記第１歯車に作用する第１サブ歯車と、前記少なくとも１つの付加的な歯車に作用する第２サブ歯車とを備えた幾つかの部品で設計され、前記第１サブ歯車と前記第２サブ歯車とが、異なる歯数を有するという点で実現することができる。少なくとも２つの駆動歯車から成る組み合わせが使用されることも可能であり、この組み合わせでは、歯数の異なる歯車が設けられている。前記２つの可能性を組み合わせることもできる。即ち、前記第１歯車だけでなく前記少なくとも１つの付加的な歯車も異なる歯数を有し、また、前記少なくとも１つの駆動歯車が、前記第１歯車と、歯数の異なる前記少なくとも１つの付加的な歯車とに作用する。
【００４０】
１実施形態において、前記第１歯車は、前記少なくとも１つの付加的な歯車よりも多い歯数を有する。前記第１歯車が、より少ない歯数を有する際は、前記頭部が前記シャンクの周りで回転する間、前記第１領域は反対方向に旋回する。歯数がより多ければ、前記第１領域は、前記頭部が前記シャンクの周りで回転するのと同一方向に旋回する。これにより、使用者にとって調弦がより簡単なものになる。
【００４１】
前記第２領域に回転不能に接続される前記第２歯車と、前記第３領域に回転不能に接続される前記第３歯車とが、同じ歯数を有すると特に有利である。結果として、これらの歯車上で前記少なくとも１つのピニオンが転動運動する間、前記第２歯車及び前記第３歯車が互いに対して回転しないことが単純なやり方で可能となる。結果として、糸蔵の磨滅を小さく保つことができる。前記第２領域及び前記第３領域は、前記糸蔵内の枠に着座しており、原則としてこの枠に作用する。これらの領域が互いに対して旋回しないときには、及ぼされるトルクも最小になる。他方で、結果として、前記対応する調弦用糸巻きを前記糸蔵に単に圧入によって固定することも可能である。
【００４２】
前記第１歯車が、前記第２歯車及び／又は前記第３歯車と比較して、異なる歯数を有すると特に有利である。結果として、１よりも大きい伝達率を規定することができる。他方で、結果として、前記伝達率が相応に設定されると、例えば、弦長を０．０１ｍｍ以下程度の規模で変更することが可能である。このことにより、調弦中の精度が増す。
【００４３】
前記第１歯車の歯数、及び／又は、前記少なくとも１つの駆動歯車がそれにより前記第１歯車に作用する歯数は、有利には、前記少なくとも１つの付加的な歯車の歯数、及び／又は、前記少なくとも１つの駆動歯車がそれにより前記少なくとも１つの付加的な歯車に作用する歯数と、ｍ＋ｉだけ相違する。ここに、ｍとは自然数であり、ｉとは、前記第１歯車及び前記少なくとも１つの付加的な歯車に作用するとともに前記回転軸に対して直交方向に離間している駆動歯車の数である。このことにより、伝動装置は、その前記伝達率（１よりも大きい）を相応に設定でき、戻り止め式となる。前記少なくとも１つの駆動歯車が、前記第１歯車上、第２歯車上、及び適用可能な場合第３歯車上で転動する結果として、前記第１領域は設定された前記伝達率に応じて旋回する。前記頭部が前記シャンクに対して回転する結果として、前記少なくとも１つの駆動歯車が前記歯車上で転動する。
【００４４】
前記少なくとも１つの駆動歯車は、好ましくは、第１歯車と少なくとも１つの付加的な歯車とから成る組み合わせの全体的高さと少なくとも同程度の高さである。結果として、前記少なくとも１つの駆動歯車は、前記第１歯車上、及び前記少なくとも１つの付加的な歯車上で同時に転動することができ、結果として、前記第１領域が前記少なくとも１つの付加的な領域に対して相対運動するのを可能にする。
【００４５】
前記シャンク上にある前記頭部の前記回転軸に対して前記頭部において均一に分配されるように配置される複数の駆動歯車が存在すると好ましい。結果として、前記駆動歯車の少なくとも２つの歯が、前記第１領域及び前記少なくとも１つの付加的な領域と関連する前記歯車内に常に係合することを保証することができる。このことにより、調弦の最適化を可能にするために、前記第１領域は一様に回転運動する。原則として、３つ以上の駆動歯車が存在していてもよい。駆動歯車が多ければ多いほど、前記回転運動は一様になるが、結果として空間要件も多くなる。ｉ個の駆動歯車が存在するとき、それらの回転軸は、前記シャンク上にある前記頭部の前記回転軸に対して３６０°／ｉの角度で離間するように配置されるべきである。有利な１実施形態において、２つの駆動歯車が存在する。結果として、前記頭部の空間要件と前記第１領域の前記回転運動の均等性との間で、最適化された妥協案が達成される。
【００４６】
１実施形態において、前記少なくとも１つの付加的な領域上に、前記調弦用糸巻きの、前記頭部から離れる方を向く端部が形成される。前記少なくとも１つの付加的な領域は外側領域であり、結果として、原則として機械加工することもできる。
【００４７】
有利には、前記少なくとも１つの付加的な領域は、適切な長さに切断することのできる領域を有する。結果として、前記調弦用糸巻きの長さを弦楽器に適合させることができる。調弦用糸巻きの、前記糸蔵を超えて突出する前記領域は、特に短縮することができる。
【００４８】
別の実施形態において、前記第１領域上に、前記調弦用糸巻きの前記頭部から離れる方を向く端部が形成される。結果として、弦支持領域が前記調弦用糸巻きの端部領域を形成する。
【００４９】
前記第１領域を前記第１歯車の周りで前記少なくとも１つのピニオンによって回転させるための歯車伝動装置が、戻り止め式となるように設計されると特に有利である。前記第１領域で保持される弦が伸張されると、原則として伸張を介して前記第１領域にトルクが及ぼされ、これにより後方回転が生じることがある。前記歯車伝動装置が戻り止め式に設計されている結果として、後方回転は防止される。他方で、結果として最適化された調弦を達成することができる。
【００５０】
前記第１歯車及び前記少なくとも１つの付加的な歯車が少なくともほぼ同一のピッチ円直径を有するとき、戻り止め式の歯車伝動装置を単純なやり方で実現することができる。駆動歯車として例えば直径方向に離間するピニオンが存在する場合、前記第１歯車及び前記少なくとも１つの付加的な歯車にトルクを反対方向に加えることができる。結果として、前記ピニオンに加えられたトルクは互いに相殺し合う。
【００５１】
好ましくは、前記頭部が回転する結果として、前記少なくとも１つの駆動歯車は、前記シャンク上にある前記頭部の前記回転軸の周りで軌道運動する。結果として、前記第１領域を回転させるために、前記少なくとも１つの駆動歯車は、前記第１歯車及び前記少なくとも１つの付加的な歯車上（及び、適用可能な場合第２歯車及び第３歯車上）で転動することができる。
【００５２】
前記頭部が回転する結果として、前記少なくとも１つの駆動歯車が、前記第１歯車及び前記少なくとも１つの付加的な歯車上（適用可能な場合第２歯車及び第３歯車上）で転動すると好ましい。結果として、前記第１領域を単純なやり方で回転させることができるのであり、この回転は前記頭部の回転により開始する。第２領域及び第３領域に回転不能に接続される第２歯車及び第３歯車を設けることにより、それぞれ、前記第１領域がより緩徐に回転する伝達率を設定することができる。
【００５３】
前記シャンクに対する前記回転運動の操作性を容易にするため、好ましくは、前記頭部は少なくとも１つの摘み面を有する。
【００５４】
好適な実施形態の以下の記載は、本発明を図面と合わせてより詳細に説明するように働く。
【図面の簡単な説明】
【００５５】
【図１】弦楽器の例としてのバイオリンの側面図。
【図２】弦楽器の糸蔵の略図であり、その上に調弦用糸巻きが配置されている図。
【図３】本発明による調弦用糸巻きの１実施形態の断面図。
【図４】図３による調弦用糸巻きの頭部の拡大図。
【図５】図４による線５−５に沿った断面図。
【図６】図３による調弦用糸巻きの、頭部が断面図である分解斜視図。
【図７】本発明による調弦用糸巻きの第２実施形態の分解斜視図。
【図８】図７による調弦用糸巻きの部分断面図。
【図９】本発明による調弦用糸巻きの第３実施形態の、シャンクが部分断面図である分解斜視図。
【発明を実施するための形態】
【００５６】
図１に示すような、（擦）弦楽器の例としてのバイオリン１０は、胴１７を形成する裏板１４と表板１６とを備えたリブ１２を有する。リブ１２上に指板１８が配置され、指板上に糸蔵２０が着座する。糸蔵２０は、例えばカエデ等の木から製造される。糸蔵２０上に糸巻き２２が配置され、糸巻き２２を介して、糸蔵２０に弦２４を弦の一方の端部にて固定することができる。
【００５７】
弦２４は、その他方の端部２６にて緒止板２８に固定される。この緒止板２８は、緒止糸枠を形成する緒止糸３０を有する。緒止糸枠は、端部ボタン３２に装着されて、緒止板２８を適所に保持する。
【００５８】
弦２４の端部２６が緒止板２８を介してリブ１２に対して固締されれば、弦２４上の張力を、関連する糸巻き２２を介して変更することができ、結果として、弦を調弦することができる。
【００５９】
指板１８上の上駒３４と、表板１６上に配置されている駒３６との間に設置されている弦２４の部分は、第１の弦３８として表される。駒３６と緒止板２８との間に設置されている弦２４の部分は、第２の弦４０として表される。
【００６０】
糸蔵２０は、木から成る第１ストリップ４２と、第１ストリップ４２から離間している木の第２ストリップ４４とを含む。弦楽器１０の弦２４は、第１ストリップ４２と第２ストリップ４４との間を案内される。糸巻き２２を適所に固定するために、第１ストリップ４２内には対応する孔４６が、第２ストリップ４４内には孔４８が配置される。糸巻き２２には、第１孔４６と、第１孔４６と整列して配向された第２孔４８とから成る孔の対が関連する。
【００６１】
第１孔４６及び第２孔４８はそれぞれ回転対称となるように設計されるのであり、関連する１対の孔の、対応する対称軸は、それらの孔の対称軸と同軸である。孔４６及び４８の直径は、糸巻きリーマを用いて、糸巻き２２のシャンク５０の直径に適合させることができる。
【００６２】
糸巻き２２は、第１取付け領域５２と、第１取付け領域に対して離間し、第２ストリップ４４上でそれにより保持される第２取付け領域５４とを有し、ここで糸巻き２２は、第１ストリップ４２上で第１取付け領域５２により保持される。第１取付け領域５２と第２取付け領域５４との間には、弦２４を支持する弦支持領域５６が配置される。
【００６３】
頭部５８の反対側にはシャンク及び糸巻き２２の一方の端部６０が設置される。
【００６４】
本発明による糸巻きは調弦用糸巻きとして設計される。１実施形態を、図３に示し符号６２として表す。
【００６５】
調弦用糸巻き６２のシャンク５０は、弦支持領域５６として設計される第１領域６４を含む。シャンクは更に、第２取付け領域５４として設計される第２領域６６と、第１取付け領域５２として設計される第３領域６８とを含む。
【００６６】
第２領域６６、第１領域６４、及び第３領域６８は、互いに線形に続く。これらの領域は基本的に、軸７０に対して回転対称となるように設計されており、この軸７０に対して同軸である。端部６０は、第２領域６６上に形成される。
【００６７】
第２領域６６は、固体材料から、少なくとも１つの区分７２に製造される。この固体材料は例えば、アルミニウム等の金属材料、プラスチック材料、又は木製材料である。第２領域６６では、軸７０に沿って延びるピン要素７４が回転不能に保持される。ピン要素７４は、第２領域６６上で、形状ロック接続７６又は圧入接続を介して保持される。
【００６８】
第２領域は例えば、少なくとも１つの区分にて切り詰められた設計である。
【００６９】
第２領域６６は、ピン要素７４との接続領域の外側を短縮することができる。このことが、図３に切断面７８で示される。結果として、調弦用糸巻き６２は弦楽器１０の糸蔵２０に適合させることができるのであり、調弦用糸巻き２２の、第２ストリップ４４を超えて突出する領域を短縮することができる。結果として、調弦用糸巻き６２の長さを、弦楽器に個々に適合させることができる。
【００７０】
ピン要素７４は、例えばアルミニウム、鋼、真鍮等の金属材料から製造される。ピン要素は、第１領域の内部空間８０を通って案内され、更に、第３領域６８の内部空間８２を通って案内される。
【００７１】
第１領域６４は、例えばアルミニウム、鋼、真鍮等の金属材料から製造される。ただし第１領域６４は第２領域６６に続くものである。第１領域は、弦２４用に、１つ以上の挿入穴８４を有する。第１領域６４は、第２領域６６に対して回転軸８６の周りで回転可能である。回転軸８６は軸７０と一致する。
【００７２】
第１領域には弦２４の端部領域をスプール状に巻き付けることができることから、第１領域６４はスプールとしても表される。
【００７３】
第１領域６４では、シャフト８８が回転不能に保持される。この点に関して、シャフト８８は、第１領域６４に一体に接続することができ、又は、シャフトは後で第１領域に固定することができる。シャフト８８は、第３領域６８の内部空間８２を通って案内される。第１領域６４は、第３領域６８に対して回転軸８６の周りで回転可能である。第１領域６４は、シャフト８８を介して第３領域６８上に回転可能に取付けられる。
【００７４】
シャフト８８は内部空間９０を有し、内部空間９０を通してピン要素７４が案内される。ただしピン要素７４は第２領域６６に回転不能に接続しているものである。
【００７５】
シャフト８８上で、第１領域６４から離れる方を向く端部に、又はその近傍に、第１歯車９２が回転不能に着座する。結果として、この歯車は、第１領域６４に回転不能に接続され、第１領域６４に対しては（シャフト８８を介して）離間している。第１歯車９２は、回転軸８６に対して同軸に配置される。
【００７６】
第１歯車９２は、例えばアルミニウム又はステンレス鋼等の金属材料から製造される。
【００７７】
第１歯車９２は、回転軸８６の周りに一様に分配されている歯数ｎ１を有する。
【００７８】
ピン要素７４上で、第２領域６６から離れる方を向く端部に、又はその近傍に、第２歯車９４が着座する。第２歯車９４は、ピン要素７４に回転不能に接続され、結果として、第２領域６６に回転不能に接続され、第２領域６６に対しては（ピン要素７４を介して）離間している。
【００７９】
第２歯車９４は、回転軸８６に対して同軸に配置される。第２歯車は、回転軸８６の周りに一様に分配されている歯数ｎ２を有する。
【００８０】
第１歯車９２の外径と、第２歯車９４の外径とは、基本的に同一である。第１歯車９２と第２歯車９４とは互いに隣り合っている。この点に関して、これらの歯車の間に小さい距離を置くことができ、又は、これらの歯車は互いに当接してもよく、第１歯車９２及び第２歯車９４の相対回転が可能である。例えば、第２歯車９４は、第１歯車９２と比較して端部６０に対してより大きな距離のところにある外側歯車である。
【００８１】
第３領域６８上には、第３歯車９６が回転不能に着座する。この第３歯車９６は、第３領域６８の、第１領域６４を向く端部から離れる方を向く端部に、又はその近傍に設置される範囲内に位置決めされている。第３歯車９６は、第３領域６８上に一体に形成することができ、又は、第３領域６８上に後で位置決めされた個別の要素とすることができる。
【００８２】
第３領域６８は、少なくとも１つの区分にて切り詰められた設計である。
【００８３】
第３歯車９６は、回転軸８６に対して同軸である。第３歯車は、回転軸８６の周りに一様に分配されている歯数ｎ３を有する。第３歯車９６は第１歯車９２に続く。即ち、第３歯車９６は、一連の歯車９２、９４、９６のうちで端部６０の一番近くに設置されている歯車である。
【００８４】
歯車９６は、第１歯車９２及び第２歯車９４と基本的に同一の外径を有する。歯車９２、９４、９６は、例えば平歯車として設計される。
【００８５】
頭部５８は、シャンク５０上に配置されて、回転軸９８の周りで回転する。回転軸９８は、歯車９２、９４、９６の回転軸８６に一致する。頭部５８は、瘤としても表される。
【００８６】
頭部５８は把持部１００を有し、使用者は把持部１００を介して回転をもたらすことができる。把持部１００は例えば、図３の図面の平面と平行な面に対して鏡像対称となるように設計される。頭部は、回転軸９８に対して直角な第１方向に第１幅ｂ１と、第１幅ｂ１及び回転軸９８に対して直角な方向に第２幅ｂ２とを有する（図３、図７）。幅ｂ２は幅ｂ１よりも小さい。把持部１００は例えば、両側に摘み面１０２を備えたキノコの形状に設計される。
【００８７】
把持部１００、及び把持部１００を備えた頭部５８は内部空間１０４を有し、内部空間１０４には歯車伝動装置１０６が配置され、頭部５８の回転運動を、歯車伝動装置１０６を介してシャンク５０の第１領域６４に伝えることができる。歯車９２、９４、９６は、この歯車伝動装置１０６の一部である。
【００８８】
把持部１００は、回転軸９８の周りで同軸に設置されている中央開口１０８を有する。シャンク５０上には、雄ねじ付き要素１１０が回転不能に着座する。この要素は、軸７０に対して同軸に配置される。雄ねじ付き要素１１０は、把持部１００の開口１０８内で係合する。雄ねじ付き要素１１０に、雌ねじ１１４を備えたピン１１２がねじ付けられる。ピン１１２は、ピン１１２がねじ込まれる際に把持部１００内の凹部１２０の基部１１８に当接する頭部１１６を有する。これによって、凹部１２０は、把持部１００の上側へ向かって開口１０８の拡大部分を形成する。頭部５８がシャンク５０の第３領域６８から離れる方へ任意で軸方向に持ち上がることは、頭部１１６を介して阻止される。
【００８９】
頭部５８は更に、シャンク５０の第３領域６８を向いており、例えば環状の設計である接触領域１２２を有する。この接触領域１２２は、頭部５８が第３領域６８に向かう運動の阻止面を形成する。
【００９０】
ピン１１２は、シャンク５０に対する頭部５８の回転性のための回転軸受ピン（外部シャフト）を形成する円筒形領域１２４を有する。
【００９１】
頭部５８の内部空間１０４に、第１ピニオン１２６及び第２ピニオン１２８が駆動歯車として配置される。これらの駆動歯車１２６、１２８は、例えば平歯車として設計され、第１駆動歯車の回転軸１３０の周りと第２駆動歯車の回転軸１３２の周りでそれぞれ回転可能である。駆動歯車の回転軸１３０及び１３２は、シャンク５０に対して頭部５８の回転軸９８と平行に設置され、シャンク５０に対してそれぞれ偏位している。即ち、シャンクに対して離間した平行な関係にある。結果として、第１ピニオン１２６（第１駆動歯車１２６）及び第２ピニオン１２８（第２駆動歯車１２８）は、シャンク５０内の頭部５８の回転取付けに対して偏心して配置される。
【００９２】
第１ピニオン１２６及び第２ピニオン１２８の回転性はそれぞれ、ピン１３４が、特に円筒形の設計であり、頭部５８の内部空間１０４内の円筒形の凹部１３６内に形成されていることにより実現される。第１ピニオン１２６及び第２ピニオン１２８のそれぞれのピン１３４は、ピニオンに回転不能に接続される。
【００９３】
第１ピニオン１２６及び第２ピニオン１２８は、軸７０に対して直角な幅方向で互いに対向して設置されており、各々は回転軸９８まで同一距離である。結果として、これらのピニオンは、回転軸９８の周りに一様に分配されるように配置される。
【００９４】
第１ピニオン１２６と第２ピニオン１２８との間には、第１歯車９２、第２歯車９４、及び第３歯車９６を備えた一連の歯車が設置される。第１ピニオン１２６と第２ピニオン１２８の両方は、歯車９２、９４、９６内で係合する。ピニオン１２６及び１２８は、歯車伝動装置１０６の一部である。
【００９５】
頭部５８がシャンク５０に対して回転軸９８の周りで回転運動する結果として、第１ピニオン１２６及び第２ピニオン１２８が、回転軸９８の周りで軌道運動させられる。第１ピニオン１２６及び第２ピニオン１２８は、第１歯車９２、第２歯車９４、及び第３歯車９６上で転動し、以下で、より詳細に説明するように、これらの歯車を、対応する回転運動において運動させる。歯車伝動装置１０６の結果として、回転運動が第１領域６４に伝わり、弦２４を調弦できるようになる。
【００９６】
第２歯車９４の歯数ｎ２と、第３歯車９６の歯数ｎ３とは同一である（ｎ２＝ｎ３）。第１歯車９２の歯数は、これらの数とは相違する。即ち、ｎ１≠ｎ２，ｎ３である。この点に関して、第１歯車９４の歯数ｎ１は、ｎ２、ｎ３より多くてもよく、又は少なくてもよい。歯数ｎ１がｎ２、ｎ３よりも多いとき、頭部５８が回転軸９８の周りで回転する方向と、第１領域６４が回転軸９６の周りで回転する方向とは同一である。歯数ｎ１がｎ２、ｎ３よりも少ないとき、頭部５８がシャンク５０に対して回転する方向と、第１領域６４が回転軸８６の周りで回転する方向とは互いに反対である。
【００９７】
歯車伝動装置１０６の伝達比率は歯数によって決まる。このことにより、
【数１】
2011503640.tif 000003
となる。
【００９８】
１実施形態において、ｎ１は１７であり、ｎ２、ｎ３は１５である。その場合、伝達比率は８．５：１となる。即ち、頭部５８がシャンク５０の周りで８．５回転すると、第１領域６４は回転軸８６の周りで一回（３６０°）回転する。
【００９９】
上述の実施形態の場合、歯車伝動装置１０６は、駆動歯車としての２つのピニオン、つまり第１ピニオン１２６及び第２ピニオン１２８を含む。ピニオン１２６及び１２８は特に、歯車９２、９４、９６よりも小さい（外部）直径を有し、これらの歯車よりも小さいピッチ円直径をも有する。
【０１００】
駆動歯車として、１つのみのピニオンが設けられること、又は３つ以上のピニオンが設けられることも可能である。ｉ個のピニオンが存在する、ただしこれらのピニオンはそれらの回転軸が回転軸９８に対して偏位しているように配置されるものであるとき、第１歯車９２の歯数は、歯数ｎ２、ｎ３とｍ＋ｉだけ相違させねばならない。ここにｍは自然数である。従って、２つのピニオン（ｉ＝２）が存在する場合、第１歯車９２は、第２歯車９４及び第３歯車９６よりもあと２、４、６等多い歯、又はこれらの歯車よりも相応に少ない歯を有さねばならない。
【０１０１】
原則として、ピニオンが、第１歯車９２にのみ作用して第１領域６４を回転させ、第２歯車９４及び第３歯車９６は存在しないことも可能である。
【０１０２】
本発明による解決法の結果として、頭部５８がシャンク５０に対して回転する結果として、第１領域６４（弦支持領域５６）上で保持されている弦２４の調弦が可能である。シャンク５０は、第１領域６４以外は回転しないので、頭部５８がシャンク５０に対して回転する結果としての、糸蔵２０内の孔４６及び４８上での磨滅は生じない。
【０１０３】
本発明による解決法の結果として、弦長を０．０１ｍｍ以下の間隔とびで変更できることが示された。このことにより、調弦中の精度が増す。例えば歯車伝動装置１０６が８．５：１の伝達率を有するとき、第１領域６４の直径が、代表的な直径である７ｍｍでは、３６０°のフル回転中に弦長が２．５９ｍｍ変化する（第１領域６４で結果として生じる弦長は２２ｍｍである）。回転性は約１°の間隔とびで測定することができるので、上述の調弦能力は弦２４ごとに約０．０１ｍｍの長さ変化となる。
【０１０４】
歯車伝動装置１０６は、戻り止め式となるように設計される。弦２４は、弦の張力の理由で、第１領域６４にトルクを及ぼす。歯車伝動装置１０６が戻り止め式の設計である結果として、設定された第１領域６４の回転位置は維持される。即ち、弦２４は第１領域６４を逆戻りさせることができない。シャンク５０の取付け領域５２、５４が、第１領域６４の復帰回転の「断絶」に何ら貢献する必要がない。他方で、結果として、シャンク５０の第２領域６６及び６８をしっかりと孔４６及び４８に押し込み、圧入とは別に任意で付加的な固定を必要とすることなしに、このようにシャンクを適所に固定することが可能である。特に、付加的な接着又は任意の付加的な形状ロックを実現する必要はない。結果として、調弦用糸巻き６２を適所に固定するための弦楽器への作用は最小になる。
【０１０５】
歯車９２、９４、９６は、少なくともほぼ同一のピッチ円直径（作業直径）を有する。それぞれの歯車９２、９４、９６に及ぼされるトルクは反対方向である。これらの歯車９２、９４、９６のピッチ円直径が少なくともほぼ同一寸法である結果として、ピニオン１２６、１２８に作用するトルクは互いを相殺し合い、歯車伝動装置１０６が戻り止め式となる。
【０１０６】
既に上述したように、調弦用糸巻き６２の突出端部は、適切な長さに切断する（第２領域６６を短縮する）ことにより単純なやり方で短縮することができ、従って、突出端部を糸蔵２０に適合させることができる。
【０１０７】
同じく上述したように、原則として、歯車伝動装置１０６が１つのみのピニオンを含むことが可能である。２つ以上のピニオンが存在する場合は、幾つかのピニオンの歯は係合することができ、少なくとも２つの歯にわたって負荷を分配することができる。結果として、頭部５８の回転運動が第２領域６４へ、より均一に伝わるのを達成することができる。幾つかのピニオンが存在する場合、これらのピニオンは、回転軸９８に対して一様に分配されるように配置されるべきである。
【０１０８】
２つのピニオン１２６、１２８を設けることは、頭部５８内の空間要件を小さく保つことができる程度までは理想的である。３つ以上のピニオンが存在する場合、頭部５８は相応により大きな設計でなければならない。
【０１０９】
原則として、本発明による調弦用糸巻き６２は、大きさが相応に適合されていれば、全ての種類の弦楽器、特に擦弦楽器及び撥弦楽器で使用することができる。
【０１１０】
第２歯車９４及び第３歯車９６が同じ歯数を有し、第１歯車９２が、これらの歯車と相違する歯数を有する結果として、第２領域６６と第３領域６８との間で相対回転は生じない。一方、第１領域６４は、第２領域６６に対して回転可能であり、第３領域６８に対して回転可能である。結果として、第２領域６６及び第３領域６８は、糸蔵２０内のそれぞれの孔４８、４６内に配置されると、受けるトルクが最小限となる。
【０１１１】
歯車９２、９４、９６を駆動するための駆動歯車として、幾つかの歯車の組み合わせを使用することもできる。
【０１１２】
原則として、別法として又は付加的に、駆動歯車が、第１歯車９２及び第２ギア９４、又は歯数の異なる第３歯車９６に作用することが可能である。この場合、歯車９２及び９４、又は９２及び９６は同じ歯数を有する。というのも、対応する駆動歯車（ピニオン）の歯数が異なることにより伝達比率が実現されるからである。
【０１１３】
この目的で、駆動歯車は例えば、回転軸９８の方向に、異なる歯数である異なる区分を有するように設計される。この点に関して、各区分は、それぞれの歯車９２、９４、及び９６上で転動する。
【０１１４】
１つの駆動歯車ではなく、一連の駆動歯車が使用されることも可能である。ここで一連の駆動歯車は、互いに回転不能に接続し、異なる歯数を有する。特に、一連の駆動歯車のうち第１歯車９２に係合するものは、一連の駆動歯車のうち第２歯車９４及び第３歯車９６に係合する付加的なものとは異なる歯数を有する。
【０１１５】
第２歯車９４及び第３歯車９６と比較して、第１歯車９２の「相対歯数」に差異が存在すれば、調弦の目的での伝達比率にすることができる。「相対歯数」のこの差異は、第１歯車９２と、第２歯車９４又は第３歯車９６との間の歯数が異なることにより、及び／又は、駆動歯車又は一連の駆動歯車の、第１歯車９２及び第２歯車９４又は第３歯車９６に作用する部分の歯数が異なることにより、もたらすことができる。
【０１１６】
本発明による調弦用糸巻きの第２実施形態は、ただし第２実施形態は、図７及び図８に示され、この場合符号１３８として表されるものであるが、弦支持領域である第１領域１４２と、取付け領域である第２領域１４４とを備えたシャンク１４０を含む。第１領域１４２上には、調弦用糸巻き１３８の前方端部１４６が形成される。第１領域１４２で端部１４６の範囲内にはリング要素１４８が配置され、このリング要素１４８は、第１領域１４２の表面１５０を超えて突き出る。このリング要素１４８は、弦支持領域１４２上で保持される弦の領域が摺り落ちるのを防止するように働く。
【０１１７】
リング要素１４８は例えば、シャンク１４０の端部に配置される円盤要素を介して形成される。
【０１１８】
第２領域１４４は例えば、円錐形に延びる表面１５２を有する。
【０１１９】
第２領域１４４の内部空間１５４を通してシャフト１５６が案内され、シャフト１５６は、第１領域１４２に回転不能に接続される。シャフト１５６は円筒形の設計である。内部空間１５４は中空円筒形の設計である。シャフト１５６は、内部空間１５４に取付けられて、回転軸１５８の周りで回転する。
【０１２０】
シャフト１５６上で第２領域１４４の上方に、第１歯車１６０が回転不能に着座する。第１歯車１６０は、回転軸１５８に対して同軸に位置決めされる。
【０１２１】
第２領域１４４上で第１歯車１６０のすぐ真下には、第２歯車１６２が着座する。第２歯車１６２は、回転軸１５８の周りで回転可能になるように、及び第１歯車１６０に対して同軸となるように配置される。
【０１２２】
第２歯車１６２は例えば、第２領域１４４上に一体に形成される。
【０１２３】
頭部が、シャフト１５６上で回転するように位置決めされる。この頭部は原則として、調弦用糸巻き６２の頭部５８と同一設計である。この理由で、同一の参照符号が使用される。
【０１２４】
雄ねじ１６６を備えたピン要素１６４が、シャフト１５６上で第１歯車１６０の上方に着座し、回転軸１５８に対して同軸に整列する。この雄ねじに、円筒形領域１２４を備えたピン１１２に対応するピンがねじ付けられる。頭部１５８は、外部シャフトを形成するこのピン１１２の周りで回転可能である。
【０１２５】
第１ピニオン１６８及び第２ピニオン１７０が、頭部５８の内部空間１０４に駆動歯車として着座する。ピニオン１６８、１７０は、調弦用糸巻き６２のピニオン１２６及び１２８と同一機能を有する。これらのピニオンは、頭部５８が回転する結果として軌道運動することができ、第１歯車１６０及び第２歯車１６２に作用する。
【０１２６】
第１歯車１６０は特に平歯車として設計され、歯数ｎ１を有する。第２歯車１６２も同じく、好ましくは平歯車として設計され、歯数ｎ２を有する。この点に関して、第１歯車１６０の歯数ｎ１は、第２歯車１６２の歯数ｎ２よりも多い。頭部５８の回転中、第１歯車１６０及び第２歯車１６２がピニオン１６８及び１７０により回転させられ、互いに対する相対回転が生じる。伝達率は上の式（１）のようになる。
【０１２７】
歯車伝動装置は戻り止め式であり、ここで歯車伝動装置は、歯車１６０、１６２、及びピニオン１６８及び１７０により形成され、頭部５８の内部空間１０４に位置決めされるものである。
【０１２８】
スプール支持領域としての第１領域１４２は、第２領域１４４に対して、頭部５８の回転を介して式（１）による伝達率で回転可能である。
【０１２９】
調弦用糸巻き１３８は、ギター等の撥弦楽器には特に適している。
【０１３０】
調弦用糸巻きの第３実施形態、ただし図９に示され、この場合符号１７２で表されるものは、シャンク１７４を含む。シャンク１７４は、弦支持領域である第１領域１７６を有する。この第１領域１７６には、楽器に固定するための取付け領域である第２領域１７８が続く。第２領域１７８は、調弦用糸巻き１７２の前方端部となる端部１８０を有する。
【０１３１】
第２領域１７８上には、シャフト１８２が回転不能に着座する。シャフト１８２は、第１領域１７６の内部空間１８４を通って案内される。
【０１３２】
第１領域１７６は、弦の巻回領域である表面１８６を有する。
【０１３３】
第１領域１７６上に、第１歯車１８８が例えば一体に配置される。この第１歯車１８８の上方では第２歯車１９０が着座し、第２歯車１９０は、シャフト１８２に回転不能に、従って第２領域１７８に回転不能に接続する。第１歯車１８８は歯数ｎ１を有し、第２歯車１９０は歯数ｎ２を有する。歯数ｎ１は、歯数ｎ２と相違する。
【０１３４】
ピニオン１９２、１９４は、歯車１８８及び１９０に作用し、回転軸１９６の周りで軌道運動する。第１領域１７６と第２領域１７８との互いに対する相対回転が、上の式（１）で特定された伝達率で生じる。
【０１３５】
原則として、頭部は、第１実施形態６２及び第２実施形態１３８と合わせて記載した頭部と同一設計である。従って、同一の参照符号が使用される。
【０１３６】
原則として、第２領域１７８を適切な長さに切断することができる。
【０１３７】
ほかの点では、調弦用糸巻き１７２は、調弦用糸巻き６２及び１３８と合わせて上述したように機能する。
【０１３８】
頭部５８と取付け領域１７８との間に弦支持領域１７６が配置される調弦用糸巻き１７２は、例えばツィターで使用することができる。
【０１３９】
調弦用糸巻き６２は、２つの取付け領域、つまり取付け領域６６及び６８を有し、これらの領域の間に、弦支持領域として第１領域６４が配置される。調弦用糸巻き１３８及び１７２は、１つのみの取付け領域、つまり第２領域１４４及び１７８をそれぞれ有する。調弦用糸巻き１３８の場合、この取付け領域１４４は頭部５８と第１領域１４２との間に配置される。調弦用糸巻き１７２の場合、頭部５８と取付け領域１７８との間に弦支持領域１７６が配置される。
【図１】
2011503640.tif 000004
【図２】
2011503640.tif 000005
【図３】
2011503640.tif 000006
【図４】
2011503640.tif 000007
【図５】
2011503640.tif 000008
【図６】
2011503640.tif 000009
【図７】
2011503640.tif 000010
【図８】
2011503640.tif 000011
【図９】
2011503640.tif 000012
【国際調査報告】
2011503640.tif 000013
2011503640.tif 000014
2011503640.tif 000015
2011503640.tif 000016